(57)【特許請求の範囲】
【請求項１】
第１基部と、前記第１基部から離間する先端壁と対向するように配置される頂壁及び底壁とを備え、第１基部から前向きに突出するように形成される第１舌片とを含む第１絶縁本体と、
第２基部と、第２基部から前記第１舌片と平行状態に前向きに突出するように形成される第２舌片とを含み、前記第１絶縁本体に組み合わされる第２絶縁本体と、
前記第１絶縁本体に装着される第１導電端子組と、
前記第２絶縁本体に装着される第２導電端子組と、
を含み、回路基板に実装されたソケットコネクタにおいて、
前記第１導電端子組は、複数の第１端子と第２端子とを含み、前記第１端子は弾性部を有する第１コンタクト部と、第１テール部とを含み、前記第２端子は平板状の第２コンタクト部と第２テール部とを含み、
前記第１コンタクト部と第２コンタクト部は、共に前記第１舌片の頂壁に配置され、
前記第１舌片の頂壁には、第１収容溝と、第１収容溝より前方に位置する第２収容溝とを設けられ、前記第１端子の第１コンタクト部が前記第１収容溝に収容され、その弾性部が第１収容溝を突出するように配置され、第２端子の第２コンタクト部は第２収容溝に完全に収容されることを特徴とするソケットコネクタ。
【請求項２】
前記各第１端子は、前記第１コンタクト部と第１テール部とを連接するために、第１保持部を有し、第１保持部は前記第１コンタクト部の後端から延出するように前記第１基部に保持され、前記各第２端子は前記第２コンタクト部と第２テール部とを連接するための第２保持部を有し、第２保持部は前記第２コンタクト部の前端から延出するように前記第１基部に保持されることを特徴とする請求項１に記載のソケットコネクタ。
【請求項３】
前記第１舌片の底壁には、前記第２保持部を収容するための第３収容溝が形成されることを特徴とする請求項２に記載のソケットコネクタ。
【請求項４】
前記複数の第１端子は、ＵＳＢ規格によるプラグコネクタの導電端子に嵌合し、電源端子と、第１接地端子と、電源端子及び接地端子の間に配置される一対の差動信号端子と、を含むことを特徴とする請求項１に記載のソケットコネクタ。
【請求項５】
前記ソケットコネクタは、前記第1端子に接続する端子を有するＵＳＢ規格によるプラグを兼用でき、前記舌片の寸法は、前記ＵＳＢ規格によるプラグに嵌合するＵＳＢ規格によるソケットコネクタの舌片とほぼ同じであることを特徴とする請求項４に記載のソケットコネクタ。
【請求項６】
前記複数の第２端子は、二対の差動信号端子と、二対の差動信号端子の間に配置される第２接地端子とを含むことを特徴とする請求項１に記載のソケットコネクタ。
【請求項７】
前記第２導電端子組は、前記第２絶縁本体の第２舌片に配置され、その構造と配置方式は前記第１導電端子組と同じであることを特徴とする請求項１から６のいずれか一項に記載のソケットコネクタ。
【発明の詳細な説明】
【技術分野】
【０００１】
本発明は、ソケットコネクタに関して、特に、回路基板に接続するためのソケットコネクタに関するものである。
【背景技術】
【０００２】
コンピュータを内蔵する本体機器の高機能化とともにプリンタや入力装置、ハードディスクドライブ（HDD：Hard Disk Drive）などの周辺機器も高機能化が進んでいる。このコンピュータと周辺機器とは、所定の決められた通信規格によって通信ケーブルなどで接続される。高機能化とともにこれまで多くの通信規格が提案され普及しているが、近年はUSB規格に基づいた周辺機器接続方式が多く利用されている。
【０００３】
インターフェイス規格として、ＵＳＢ１.０と、ＵＳＢ１.１と、ＵＳＢ２.０との規格を順に発表され、そのＵＳＢ１.０規格によるコネクタの伝送速率は１.５Ｍpbsであり、ＵＳＢ１.１規格によるコネクタの伝送速率は１２Ｍpbsであり、ＵＳＢ２.０規格によるコネクタの伝送速率は４８０Ｍpbsであり、いま、ＵＳＢ２.０規格によるコネクタが今、電子業界に一般に普及するように使用される。
【発明の開示】
【発明が解決しようとする課題】
【０００４】
電子業の発展に従って、ＵＳＢ２.０規格に拠るコネクタの伝送速度が発展の要求に満足せず、例えば、音楽や映画を伝送する場合には、伝送速度が１Gpbs以上に達し、この時、ＵＳＢ２.０規格のコネクタは、伝送速度の使用要求を満足できないので使用が制限される。今、音楽や映画を伝送する場合に、高速伝送できるSerial-ATA規格等のコネクタが常に使用されている。だが、応用の方面において、ＵＳＢ規格のコネクタはSerial-ATA規格等のコネクタより広くなっている。また、ＵＳＢ規格のコネクタの体積がより小さいので、電子業界の小型化の発展に有利になっている。そこで、ＵＳＢ規格に拠り、高速伝送できる新型のソケットコネクタを開発することが必要である。
【０００５】
本発明は、伝送速度が向上し、製造加工が容易なものとなるソケットコネクタを提供することを目的とする。
【課題を解決するための手段】
【０００６】
本発明のソケットコネクタは、第１基部と、前記第１基部から離間する先端壁と対向するように配置される頂壁及び底壁とを備え、第１基部から前向きに突出するように形成される第２舌片とを含む第１絶縁本体と、第２基部と、第２基部から前記第１舌片と平行状態に前向きに突出するように形成される第２舌片とを含み、前記第１絶縁本体に組み合わされる第２絶縁本体と、前記第１絶縁本体に装着される第１導電端子組と、前記第２絶縁本体に装着される第２導電端子組と、を含み、回路基板に実装されたソケットコネクタにおいて、前記第１導電端子組は、複数の第１端子と第２端子とを含み、前記第１端子は弾性部を有する第１コンタクト部と、第１テール部とを含み、前記第２端子は平板状の第２コンタクト部と第２テール部とを含み、前記第１コンタクト部と第２コンタクト部は、共に前記第１舌片の頂壁に配置されることを特徴とする。
【発明の効果】
【０００７】
従来技術に比べ、本発明は以下の利点を有し、第２導電端子組を増加することにより伝送速度が向上し、また、前記第１絶縁本体と第２絶縁本体は分離体であり、金型が簡単になり、製造加工が容易になる。
【発明を実施するための最良の形態】
【０００８】
以下、図１〜図７を参照し、本発明のソケットコネクタ１００の好ましい実施形態について、添付図面を参照して説明する。本発明の実施状態のソケットコネクタ１００は回路基板（図示せず）に実装され、第１絶縁本体１と、前記第１本体１の下方に組み合わされた第２絶縁本体２と、第１絶縁本体１に装着される第１導電端子組３と、第２絶縁本体２に装着される第２導電端子組４と、内シールド５と、第１絶縁本体１と第２絶縁本体２を包囲するための外シールド６と、第１絶縁本体１と第２絶縁本体２の後側を覆ったシェル７と、位置決めするためのベース８とを有する。
【０００９】
図１乃至図７を参照すると、前記第１絶縁本体１は、第１基部１１と、第１基部１１から前向きに延出するように形成された第１舌片１２とを有し、第１舌片１２は、対向するように配置される上方の頂壁１２１と、下方底壁１２２とを有し、第一舌片１２の頂壁１２１には第１収容溝１２３と、第１収容溝１２３より前方に位置するとともに第１収容溝１２３に連通しない第２収容溝１２４が形成され、底壁１２２には第３収容溝１２５が形成され、頂壁１２１と底壁１２２を連接する第１舌片１２の先端壁には第２収容溝１２４と第３収容溝１２５を連通するための凹溝１２６が形成される。
【００１０】
第１基部１１には、第１舌片１２の下方に位置する間隔板１３が第１舌片１２に平行状態に延出するように形成され、第１基部１１の頂壁には凸部１１２が上向きに突設し、左右側壁に凸状リブ１１３がそれぞれ突設し、底壁には保持部材１１４が突出するように形成され、保持部材１１４の両側の後端には当接部１１５が形成される。第１基部１１の後端には、第１収容空間１４と、第１基部１１を貫通する前記第１収容溝１２３と第３収容溝１２５に連通するための第１保持溝１１６が形成される。第１絶縁本体１は、前記第１基部１１の上方に覆うカバー１５を含み、カバー１５の孔１５２が第１基部１１の凸部１１２に係合することによって、カバー１５が第１基部１１に組み合わされる。
【００１１】
第１導電端子組３は、第１端子３１と第２端子３２とを含み、第１端子３１は構造が同じで、弾性的な第１コンタクト部３３と、回路基板に接続するための第１テール部３５と、第１コンタクト部３３と第１テール部３５を連接するための第１保持部３４とをそれぞれ有し、第１コンタクト部３３は、弾性的に変形できる弾性部３３２が設けられ、第１コンタクト部３３は前記第１収容溝１２３に収容され、弾性部３３２が第１収容溝１２３の外に突出する。第１保持部３４は第１基部１１に保持され、第１保持溝１１６に部分的に保持される。第１端子３１の構造と配置方式とはＵＳＢ規格に符合し、具体的には、第１端子３１は、電源端子３１１と、一対の差動信号端子３１２と、第１接地端子３１３と、を有し、一対の差動信号端子３１２は電源端子３１１と第１接地端子１３１との間に配置される。
【００１２】
第２端子３２は、構造が同じで、平板状の第２コンタクト部３６と、回路基板に接続するための第２テール部３８、第２コンタクト部３６と第２テール部３８を連接するための第２保持部３７と、をそれぞれ含み、第２コンタクト部３６は第１基部１１の第２収容溝１２４に収容され、前記第２保持部３７は第２コンタクト部３６から折曲がって延出するように前記凹溝１２６に収容される折曲部（参照記号なし）と、折曲部から折曲がって第２コンタクト部３６と平行状態に延出するように第３収容溝１２５に収容された部分とを含む。第２端子３２は、二対の差動信号端子３２１と、一本の第２接地端子３２２とを有し、一本の第２接地端子３２２が二対の差動信号端子３２１の間に配置されることによってノイズが減少する。第２端子３２が第１絶縁本体１に装着された後で、カバー１５を第１基部１１に組み合わせるので、第２端子３２の組付方式が簡単になり、且つ第２端子３２の変形が起き難くなる。
【００１３】
第２絶縁本体２は、第２基部２１と第２基部２１から前向きに延出するように形成された第２舌片２２とを有し、第２基部２１の後端に第２収容空間２４が形成し、第２基部２１の頂壁の両側にはガイド凸部２１５がそれぞれ形成し、両ガイド凸部２１５の間に、前記保持部材１１４を収容するための受容部２１４が形成し、前記保持部材１１４が受容部２１４に干渉し係合することによって第１絶縁本体１と第２絶縁本体２に一体に組み合わされる。第２舌片２２の構造は第１舌片１２と同じで、第２導電端子組４は第２舌片２２に装着し、その構造と配置方式は第１端子組３と同じなので、ここで詳細に説明しない。
【００１４】
ベース８は前記第１収容空間１４と第２収容空間２４に組付けられ、第１導電端子組３と第２導電端子組４を位置決めするための端子孔８２が対応するように形成される。
【００１５】
外シールド６は、組み合わされた第１絶縁本体１と第２絶縁本体２を覆い、第１弾性片６１をそれぞれ設けられる天板６５と底板６６と左右両側板６７とを有する。左右両側板６７は、先端に係合孔６２がそれぞれ形成され、後端には第１絶縁本体１の凸状リブ１１３に係合するための係合溝６３がそれぞれ形成され、前記係合溝６３の下方には係止溝６４が形成される。
【００１６】
内シールド５は、前記第１絶縁本体１の間隔板１３を覆い、第２弾性片５１が設けられる天板５３と底板５４が設けられ、左右両側には前記外シールド６の係合孔６２に係合するための係合片５２がそれぞれ形成される。
【００１７】
シェル７は外シールド６の後端に組み合わせられ、左右側板に前記外シールド６の係止溝６４に係止する係止片７４がそれぞれ形成される。
【００１８】
ソケットコネクタ１００は、従来のＵＳＢ規格に拠るソケットコネクタ（図示せず）より二対の差動信号端子３２１と一本の接地端子３２２を増加し、且つ、第１舌板１２の寸法が従来のＵＳＢ規格に拠るソケットコネクタの舌板とほぼ同じであるので、従来のＵＳＢ規格に拠るプラグコネクタ２００（図９に示す）を嵌合でき、第２端子３２のコンタクト部３６が平板状を呈すると共に第２収容溝１２４に完全に収容されるので、従来のプラグコネクタ２００の導電端子２０７に摩擦するように接触しない。
【００１９】
内シールド５の天板５３と外シールドの天板６５の間に第１挿入口１０が形成され、内シールド５の底板５４と外シールド６６の間に第２挿入口２０が形成されている。ソケットコネクタ１００が対応するプラグコネクタ５００（図１０，１１に示す）に嵌合する際に、プラグコネクタ５００の挿入部５０１が第１挿入口１０に挿入し、前記第１端子３１がプラグコネクタ５００の第１端子５０３に電気的且つ機械的に接続し、第２端子３２がプラグコネクタ５００の第２端子５０２に電気的且つ機械的に接続している。二対の差動信号端子３２１を増加することで、伝送速度が向上する。第２挿入口２０のインターフェイス規格が前記第１挿入口１０と完全に同じである。勿論、他の実施状態において、第２挿入口のインターフェイス規格は、第１挿入口と異なっており、例えば、図８に示す、ソケットコネクタ１００’の第２挿入口２０’のインターフェイス規格はＳｅｒｉａｌ ＡＴＡ規格である。
【００２０】
前記第１絶縁本体１と第２絶縁本体２は、分離体であるので、金型が簡単になり、製造加工が容易になる。
【００２１】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【図面の簡単な説明】
【００２２】
【図１】本発明に係るソケットコネクタの組立斜視図である。
【図２】図１に示すソケットコネクタの分解斜視図である。
【図３】図２に示すソケットコネクタの他の角度から見た分解斜視図である。
【図４】本発明に係るソケットコネクタが内、外シールドと後シェルを外した状態での分解斜視図である。
【図５】図４に示すソケットコネクタの他の角度から見た分解斜視図である。
【図６】図４に示す内、外シールドと後シェルを外したソケットコネクタの分解斜視図である。
【図７】図６に示すソケットコネクタの他の角度から見た分解斜視図である。
【図８】本発明の他の実施状態のソケットコネクタの分解斜視図である。
【図９】従来のＵＳＢ２.０規格のプラグコネクタの斜視図である。
【図１０】本発明に係るソケットコネクタに嵌合するためのプラグコネクタの斜視図である。
【図１１】図１０に示す本発明に係るソケットコネクタに嵌合するためのプラグコネクタの分解斜視図である。
【符号の説明】
【００２３】
１００  ソケットコネクタ
１  第１絶縁本体
１１  第１基部
１２  第１舌片
１３  間隔板
１４  第１収容空間
１５  カバー
１１２  凸部
１１３  凸状リブ
１１４  保持部材
１１５  当接部
１１６  第１保持溝
１２１  頂壁
１２２  底壁
１２３  第１収容溝
１２４  第２収容溝
１２５  第３収容溝
１２６  凹溝
２  第２絶縁本体
３  第１導電端子組
３１  第１端子
３２  第２端子
３３  第１コンタクト部
３４  第１保持部
３５  第１テール部
３６  第２コンタクト部
３７  第２保持部
３８  第２テール部
３１１  電源端子
３１２  差動信号端子
３１３  第１接地端子
３２１  差動信号端子
３２２  第２接地端子
４  第２導電端子組
５  内シールド
６  外シールド
７  シェル
８  ベース
【図１】
0004879943.tif 000002
【図２】
0004879943.tif 000003
【図３】
0004879943.tif 000004
【図４】
0004879943.tif 000005
【図５】
0004879943.tif 000006
【図６】
0004879943.tif 000007
【図７】
0004879943.tif 000008
【図８】
0004879943.tif 000009
【図９】
0004879943.tif 000010
【図１０】
0004879943.tif 000011
【図１１】
0004879943.tif 000012